(57)【要約】【課題】携帯端末などの小型の電子情報機器において、表示対象である全体画像のうち一部領域の画像を画面表示する場合でも全体画像のうちの画面表示範囲を容易に知ること。【解決手段】全体画像領域４００における表示ウインドウ４０２に対応する画像データを、各種スクロールデバイスのユーザ接触操作に応じて拡大または縮小あるいはスクロール処理してＬＣＤ表示領域４１０へ表示させる際に、全体画像領域４００の画像データの縮小画像に現在の表示ウインドウ４０２の位置範囲を表示エリア４０２ａとして描画した全体レイアウト表示４０５を作成し、αブレンディング処理により半透過状態にして重ね合わせ合成表示させることで、表示対象である全体画像（４００）をイメージしながら拡大・縮小やスクロール処理してＬＣＤ表示領域４１０に表示出力している表示ウインドウ４０２の画像部分を当該ＬＣＤ表示領域４１０上で容易に確認しながら表示閲覧できる。【選択図】      図４
2007122633.tif 000002
【特許請求の範囲】
【請求項１】
表示対象となる全体画像から表示部に表示する画像部分を表示ウインドウとして設定する表示ウインドウ設定手段と、
この表示ウインドウ設定手段により設定された表示ウインドウに対応するところの画像データを前記表示部の表示画面サイズに合わせて拡大または縮小する画像サイズ変換手段と、
前記表示ウインドウ設定手段により前記全体画像に対して設定された表示ウインドウの領域を変更するウインドウ領域変更手段と、
このウインドウ領域変更手段により前記全体画像に対する表示ウインドウの領域を変更する場合に、前記全体画像の縮小画像に該表示ウインドウの位置を描画したレイアウト画像を作成するレイアウト画像作成手段と、
前記画像サイズ変換手段により画像サイズが変換された前記表示ウインドウに対応するところの画像に対して前記レイアウト画像作成手段により作成されたレイアウト画像を半透過状態にして重ね合わせ合成し前記表示部の表示画面に表示させるレイアウト表示制御手段と、
を備えたことを特徴とする情報表示制御装置。
【請求項２】
前記表示画面の左脇と右脇に設けられた第１と第２のスクロールスイッチを備え、
前記ウインドウ領域変更手段は、
前記第１と第２のスクロールスイッチの同時操作に応じて前記表示ウインドウ設定手段により前記全体画像に対して設定された表示ウインドウの領域を拡大または縮小して変更するウインドウ拡大・縮小手段と、
前記第１のスクロールスイッチまたは第２のスクロールスイッチの単独操作に応じて前記表示ウインドウ設定手段により前記全体画像に対して設定された表示ウインドウの領域をスクロールして変更するウインドウスクロール手段とを有する、
ことを特徴とする請求項１に記載の情報表示制御装置。
【請求項３】
前記第１のスクロールスイッチはスライドパッドで前記表示ウインドウの領域を任意の方向へスクロールさせるスイッチであり、
前記第２のスクロールスイッチは縦長のタッチパッドで前記表示ウインドウの領域を上下方向へスクロールさせるスイッチである、
ことを特徴とする請求項２に記載の情報表示制御装置。
【請求項４】
前記ウインドウ領域変更手段により前記全体画像に対する表示ウインドウの領域が変更された場合に、当該表示ウインドウが全体画像の画像端に到達したか否かを判断するウインドウ位置判断手段を備え、
前記レイアウト表示制御手段は、前記ウインドウ位置判断手段により表示ウインドウが全体画像の画像端に到達したと判断された場合にはその画像端の方向を記憶し、前記レイアウト画像作成手段により作成されたレイアウト画像を、前記画像サイズ変換手段により画像サイズが変換された前記表示ウインドウに対応するところの画像上の前記記憶した画像端の方向とは反対方向の領域に対して半透過状態にして重ね合わせ合成し前記表示部の表示画面に表示させる、
ことを特徴とする請求項１乃至請求項３の何れか１項に記載の情報表示制御装置。
【請求項５】
情報表示装置のコンピュータを制御して当該装置表示部の表示画面に情報表示させるための情報表示制御プログラムであって、
前記コンピュータを、
表示対象としてメモリに記憶された全体画像から前記表示部に表示する画像部分を表示ウインドウとして設定する表示ウインドウ設定手段、
この表示ウインドウ設定手段により設定された表示ウインドウに対応するところの画像データを前記表示部の表示画面サイズに合わせて拡大または縮小する画像サイズ変換手段、
前記表示ウインドウ設定手段により前記全体画像に対して設定された表示ウインドウの領域を変更するウインドウ領域変更手段、
このウインドウ領域変更手段により前記全体画像に対する表示ウインドウの領域を変更する場合に、前記全体画像の縮小画像に該表示ウインドウの位置を描画したレイアウト画像を作成するレイアウト画像作成手段、
前記画像サイズ変換手段により画像サイズが変換された前記表示ウインドウに対応するところの画像に対して前記レイアウト画像作成手段により作成されたレイアウト画像を半透過状態にして重ね合わせ合成し前記表示部の表示画面に表示させるレイアウト表示制御手段、
として機能させるようにしたコンピュータ読み込み可能な情報表示制御プログラム。
【発明の詳細な説明】
【技術分野】
【０００１】
本発明は、携帯電話やＰＤＡ(personal Digital Assistant)などの小型の電子情報機器において表示の制御を行うための情報表示制御装置および情報表示制御プログラムに関する。
【背景技術】
【０００２】
近年、携帯電話やＰＤＡに代表される電子情報機器は、小型化と共に多様な高機能化が進んでいる。
【０００３】
例えば携帯電話では、限られた本体サイズ内でも表示画面が大型化し、大量の文字や高精細な画像を表示できるようになっており、またそのデータ処理能力も上がり、パーソナルコンピュータ（パソコン）で行っていた作業、例えばインターネットでのウェブブラウジングやＰＤＦ(Portable Document Format)ファイルの表示閲覧なども行えるようになっている。
【０００４】
しかしながら、このような小型の電子情報機器において、表示画面が大型化されたとはいえ、その画面サイズはユーザによって把持し易い機器本体の形状・構造に依存されて2.2〜2.4インチ程度となっており、例えばノート型パソコンの主流の表示画面サイズである12〜15インチと較べても６分の１程度に小さい。
【０００５】
このため、パソコンによって通常作成あるいは閲覧している画像ファイルやテキストファイルを、この小型の電子情報機器により表示閲覧しようとすると、その一覧性が極端に悪化し、何度も繰り返しの上下左右方向へのスクロール操作が必要になる。
【０００６】
そこで、従来の小型電子情報機器において、限られたサイズの表示画面内で大量のデータをユーザが如何に簡単に確認できるようにするか、様々な操作機能が提案されており、例えば携帯機器の側面に上下・左右方向のスクロールキーを設けて操作性を向上させたもの（例えば、特許文献１参照。）、表示画面の両側にスクロールスイッチとカーソルスイッチを設けて、操作性を向上させたもの（例えば、特許文献２参照。）などがある。
【特許文献１】特開平１１−０４５１４３号公報
【特許文献２】特開２００１−３３９４９３号公報
【発明の開示】
【発明が解決しようとする課題】
【０００７】
従来の小型電子情報機器では、小型な表示画面にあっても大量のデータを確認し易いように、スクロール表示の操作性を向上させる様々な提案が為されており、上下・左右方向へのスクロール操作が容易に行えるようになってはいるものの、何れにしても、表示対象である画像やテキストデータ全体のうちの一部領域が読み出されて画面表示されるだけなので、例えば画面スクロールが素早く表示データの移動が高速に行われるほど、現在画面表示されているデータ領域が全体のどの部分であるか非常に把握し難い問題がある。
【０００８】
本発明は、このような課題に鑑みなされたもので、表示対象である全体画像のうち一部領域の画像を画面表示する場合でも、全体画像のうちの画面表示範囲を容易に知ることが可能になる情報表示制御装置および情報表示制御プログラムを提供することを目的とする。
【課題を解決するための手段】
【０００９】
請求項１（請求項５）に記載の情報表示制御装置（情報表示制御プログラム）は、表示対象となる全体画像から表示部に表示する画像部分を表示ウインドウとして設定する表示ウインドウ設定手段と、この表示ウインドウ設定手段により設定された表示ウインドウに対応するところの画像データを前記表示部の表示画面サイズに合わせて拡大または縮小する画像サイズ変換手段と、前記表示ウインドウ設定手段により前記全体画像に対して設定された表示ウインドウの領域を変更するウインドウ領域変更手段と、このウインドウ領域変更手段により前記全体画像に対する表示ウインドウの領域を変更する場合に、前記全体画像の縮小画像に該表示ウインドウの位置を描画したレイアウト画像を作成するレイアウト画像作成手段と、前記画像サイズ変換手段により画像サイズが変換された前記表示ウインドウに対応するところの画像に対して前記レイアウト画像作成手段により作成されたレイアウト画像を半透過状態にして重ね合わせ合成し前記表示部の表示画面に表示させるレイアウト表示制御手段とを備えたことを特徴としている。
【００１０】
請求項２に記載の情報表示制御装置は、前記請求項１に記載の情報表示制御装置において、前記表示画面の左脇と右脇に設けられた第１と第２のスクロールスイッチを備え、前記ウインドウ領域変更手段は、前記第１と第２のスクロールスイッチの同時操作に応じて前記表示ウインドウ設定手段により前記全体画像に対して設定された表示ウインドウの領域を拡大または縮小して変更するウインドウ拡大・縮小手段と、前記第１のスクロールスイッチまたは第２のスクロールスイッチの単独操作に応じて前記表示ウインドウ設定手段により前記全体画像に対して設定された表示ウインドウの領域をスクロールして変更するウインドウスクロール手段とを有することを特徴としている。
【００１１】
請求項３に記載の情報表示制御装置は、前記請求項２に記載の情報表示制御装置において、前記第１のスクロールスイッチはスライドパッドで前記表示ウインドウの領域を任意の方向へスクロールさせるスイッチであり、前記第２のスクロールスイッチは縦長のタッチパッドで前記表示ウインドウの領域を上下方向へスクロールさせるスイッチであることを特徴としている。
【００１２】
請求項４に記載の情報表示制御装置は、前記請求項１乃至請求項３の何れか１項に記載の情報表示制御装置において、前記ウインドウ領域変更手段により前記全体画像に対する表示ウインドウの領域が変更された場合に、当該表示ウインドウが全体画像の画像端に到達したか否かを判断するウインドウ位置判断手段を備え、前記レイアウト表示制御手段は、前記ウインドウ位置判断手段により表示ウインドウが全体画像の画像端に到達したと判断された場合にはその画像端の方向を記憶し、前記レイアウト画像作成手段により作成されたレイアウト画像を、前記画像サイズ変換手段により画像サイズが変換された前記表示ウインドウに対応するところの画像上の前記記憶した画像端の方向とは反対方向の領域に対して半透過状態にして重ね合わせ合成し前記表示部の表示画面に表示させることを特徴としている。
【発明の効果】
【００１３】
本発明の請求項１（請求項５）に記載の情報表示制御装置（情報表示制御プログラム）によれば、表示対象となる全体画像から表示部に表示する画像部分が表示ウインドウとして設定され、この表示ウインドウに対応するところの画像データが表示部の表示画面サイズに合わせて拡大または縮小変換される。そして、全体画像に対して設定された表示ウインドウの領域が拡大・縮小やスクロールの移動によって変更されると、全体画像の縮小画像に表示ウインドウの位置を描画したレイアウト画像が作成され、前記画像サイズ変換された表示ウインドウに対応するところの画像に対して前記レイアウト画像が半透過状態にして重ね合わせ合成され表示部の表示画面に表示されるので、全体画像をイメージしながら拡大・縮小やスクロール処理して画面表示しているところの表示ウインドウの画像部分を、当該画面表示上で容易に確認しながら表示閲覧できることになる。
【００１４】
本発明の請求項２に記載の情報表示制御装置によれば、前記請求項１に記載の情報表示制御装置において、ウインドウ領域変更手段は、表示画面の左脇と右脇に設けられた第１と第２のスクロールスイッチの同時操作に応じて表示ウインドウの領域を拡大または縮小して変更し、また第１のスクロールスイッチまたは第２のスクロールスイッチの単独操作に応じて表示ウインドウの領域をスクロールして変更するので、拡大・縮小やスクロール処理して画面表示しているところの表示ウインドウの画像部分を、当該画面表示上で容易に確認しながら表示閲覧できるだけでなく、例えば表示画面を中心に装置本体を左右の手で支持した状態のまま、容易に表示の拡大・縮小やスクロール操作ができることになる。
【００１５】
本発明の請求項３に記載の情報表示制御装置によれば、前記請求項２に記載の情報表示制御装置において、第１のスクロールスイッチはスライドパッドで前記表示ウインドウの領域を任意の方向へスクロールさせるスイッチであり、第２のスクロールスイッチは縦長のタッチパッドで表示ウインドウの領域を上下方向へスクロールさせるスイッチであるので、例えば装置本体を支持する左手の指による第１のスクロールスイッチの任意方向へのタッチスライド操作によって容易に任意方向へスクロール表示させることができ、また同装置本体を支持する右手の指による第２のスクロールスイッチの上下方向へのタッチスライド操作によって容易に上下方向へスクロール表示させることができる。
【００１６】
本発明の請求項４に記載の情報表示制御装置によれば、前記請求項１乃至請求項３の何れか１項に記載の情報表示制御装置において、さらに、ウインドウ領域変更手段により全体画像に対する表示ウインドウの領域が変更された場合に、当該表示ウインドウが全体画像の画像端に到達したか否かを判断するウインドウ位置判断手段を備え、このウインドウ位置判断手段により表示ウインドウが全体画像の画像端に到達したと判断された場合にはその画像端の方向を記憶し、レイアウト画像作成手段により作成されたレイアウト画像を、画像サイズ変換手段により画像サイズが変換された表示ウインドウに対応するところの画像上の前記記憶した画像端の方向とは反対方向の領域に対して半透過状態にして重ね合わせ合成し表示させるので、拡大・縮小やスクロール処理して画面表示しているところの表示ウインドウの画像部分を、当該画面表示上で容易に確認しながら表示閲覧できるだけでなく、表示画面上のユーザ注目部分からなるべく離れたところでのレイアウト表示によって、表示ウインドウのスクロール位置およびその限界位置を容易且つ見易い状態にして確認できることになる。
【００１７】
よって、本発明によれば、表示対象である全体画像のうち一部領域の画像を画面表示する場合でも、全体画像のうちの画面表示範囲を容易に知ることが可能になる情報表示制御装置および情報表示制御プログラムを提供できる。
【発明を実施するための最良の形態】
【００１８】
以下図面により本発明の実施の形態について説明する。
【００１９】
（第１実施形態）
図１は、本発明の情報表示制御装置の実施形態に係る携帯端末のシステム構成を示すブロック図である。
【００２０】
この携帯端末は、コンピュータであるＬＳＩ(Large Scale Integrated Circuit)１００を備えており、このＬＳＩ１００はＳＯＣ(System On Chip)により構成される。
【００２１】
ＬＳＩ１００はＣＰＵ(Central Processing Unit)１０１を有し、内部バス(Bus)１００ａを介して各機能ブロック部の制御を行う。
【００２２】
メモリコントローラ(Mem.Cont.)１０４は、内部バス(Bus)１００ａ、ワークメモリ(SDRAM: Synchronous DRAM)１１１、プログラム格納メモリ(NOR: NOR型フラッシュメモリ)１１２の制御を行う。
【００２３】
ＬＣＤＣ(LCDコントローラ)１０２は、ＬＳＩ１００に内蔵されたフレームバッファ(FB)１０３を利用し、ＬＣＤ(Liquid Crystal Display)１１５へ表示データを転送する。
【００２４】
さらにこのＬＳＩ１００は、キーボード(KEYBOARD)１１４を制御するキーボードコントローラ(KEY Cont.)１０９、ＵＡＲＴ(Universal Asynchronous Receiver Transmitter)１０７、パワーマネジメントブロック(Power Mgmt)１０８、リアルタイムクロック(RTC)１０６などにより構成される。
【００２５】
そして、後述する上下スクロールデバイス１２０、自由スクロールデバイス１２１、ポインティングデバイス１２２（図３参照）は、前記ＵＡＲＴ１０７を介して制御される。
【００２６】
図２は、前記携帯端末におけるＬＣＤＣ１０２の内部構成を示すブロック図である。
【００２７】
このＬＣＤＣ１０２は、バスＩ／Ｆ２０１を介してＬＳＩ１００の内部バス１００ａと接続される。
【００２８】
レジスタ(Reg.)２０２は、ＬＣＤＣ１０２への各種命令および設定情報を格納する。
【００２９】
メモリコントローラ(Memory Cont.)２０３は、フレームバッファ１０３を制御し、表示データの格納あるいは演算を行うもので、ダイレクトメモリアクセスコントローラ(DMA)２０３ａを内蔵する。
【００３０】
このダイレクトメモリアクセスコントローラ(DMA)２０３ａは、フレームバッファ(FB)１０３との間、該フレームバッファ(FB)１０３からＬＣＤ１１５へのデータ転送、あるいは画像サイズ変換部(Resizer)２０４などへのデータのやり取りを制御する。
【００３１】
ここで、このＬＣＤＣ１０２によるフレームバッファ(FB)１０３からＬＣＤ１１５へのデータ転送機能について説明する。
【００３２】
まず、ＬＣＤＣ１０２は、２つの画像データをαブレンド処理することが可能であり、２本のＦＩＦＯ(First In First Out)メモリ２０６，２０７からの画像データをブレンディング部(A)２１０に与え、所望のブレンディング値に応じたαブレンディングを行う。
【００３３】
これにより、一方のＦＩＦＯメモリ２０６から出力された画像データに対して他方のＦＩＦＯメモリ２０７から出力された画像データを半透過状態にして重ね合わせ処理するなど、ハードウエアとしてのαブレンディングが可能になる。
【００３４】
ブレンディング部(A)２１０を経てαブレンディングされた画像データは、ＦＩＦＯメモリ２１１によりＬＣＤ制御信号との同期が取られ、ＬＣＤ Ｉ／Ｆ２１２を介してＬＣＤ１１５に送られて表示される。
【００３５】
図３は、前記端末装置の本体ケースを開いた状態での外観構成を示す正面図である。
【００３６】
この端末装置は、クラムシェル型の本体ケースを有し、ＬＣＤ１１５のある表示部３００のケース面とキーボード(KEYBOARD)１１４のあるケース面とがヒンジ（図示せず）を介して開閉可能に構成される。
【００３７】
ＬＣＤ１１５は、例えば４インチの画面サイズで、６４０×２４０ドットの解像度を有する横長画面である。
【００３８】
ポインティングデバイス１２２は、例えばジョイスティック式でキーボード１１４の右下の位置にユーザが右手で操作すべく配置され、このポインティングデバイス１２２を囲むように４方向カーソルキー１３０ａ，１３０ｂ，１３０ｃ，１３０ｄが配置される。
【００３９】
自由スクロールデバイス１２１は、スライドパッドでありキーボード１１４の左上の位置にユーザが左手で操作すべく配置され、少なくとも８方向、好ましくは３６０度方向のスライド操作方向を検出する。
【００４０】
この自由スクロールデバイス１２１に隣接する左右両側には、例えば前記ポインティングデバイス１２２と併用されるキー１２２ａ，１２２ｂが配置され、それぞれパソコンマウスで言うところの左右クリックボタンとして機能する。
【００４１】
また、キーボード１１４の右端には、該右端長手方向にユーザが右手指でスライド操作すべく配置された上下スクロールデバイス１２０が設けられる。この上下スクロールデバイス１２０は、例えば抵抗膜によるタッチパッドとして構成され、ユーザ操作によるタッチスライド動作やタップ動作を検出する。
【００４２】
すなわち、この携帯端末のＬＣＤ１１５は横長画面であるため、縦方向の表示情報が不足しがちとなる。このため、上下スクロールデバイス１２０を設けてＬＣＤ１１５における表示データを縦方向にスクロールさせ表示閲覧性を改善する。
【００４３】
例えばＷｅｂブラウザによってＷｅｂサイトのＨＰ（ホームページ）を閲覧する場合には、表示すべき画像データの拡大率を変更して横方向の画像サイズをＬＣＤ１１５の画面サイズに一致させる。すると、前記上下スクロールデバイス１２０を用いた縦方向のスクロール表示のみによりＷｅｂページの閲覧が可能になる。
【００４４】
また、例えばスプレッドシートやデジタルカメラによる撮影画像のような大きなサイズの画像データを表示閲覧する場合には、前記自由スクロールデバイス１２１および上下スクロールデバイス１２０を用いて適宜縦横方向へのスクロール表示を行わせる。
【００４５】
さらに、この携帯端末は、スクロール表示や拡大・縮小表示に際して、例えば図４に示すように、表示すべき全体画像領域４００のうちでＬＣＤ表示領域４１０にて表示出力される画像部分（表示ウインドウ４０２）がどの位置にあるかを当該ＬＣＤ表示領域４１０内で半透明にして重ねたイメージで示す全体レイアウト表示４０５の表示機能を備え、全体画像（４００）をイメージしながら目的とするところの画像部分（表示ウインドウ４０２）をＬＣＤ表示領域４１０で表示閲覧可能になる。
【００４６】
図４は、前記携帯端末による全体画像領域４００とＬＣＤ表示領域４１０にて表示出力される表示ウインドウ４０２そして全体レイアウト表示４０５との関係（その１）を示す図である。
【００４７】
例えばデジタルカメラにより撮影した２０００×１０００ドットの画像を表示する場合には、まず図４（Ａ）に示すように、その全体の撮影画像データをＬＣＤＣ１０２によりフレームバッファ(FB)１０３内に全体画像領域４００として格納する。そして、全体画像領域４００の中からＬＣＤ表示領域４１０（図４（Ｄ）参照）に対応した表示ウインドウ４０２となるエリアを指定する。この表示ウインドウ４０２は、全体画像領域４００内にて表示する領域をアドレスで指定する。
【００４８】
なお、表示ウインドウ４０２の縦横アスペクト比は、ＬＣＤ表示領域４１０のアスペクト比と同一である。
【００４９】
全体画像領域４００内で表示ウインドウ４０２が移動することはスクロール表示に相当し、また当該表示ウインドウ４０２の大きさを変えることは拡大率の変更に相当する。
【００５０】
そして、表示ウインドウ４０２によりアドレス指定された範囲の部分画像を、画像サイズ変換部(Resizer)２０４によってＬＣＤ表示領域４１０に対応する実際の表示サイズ（６４０×２４０）に拡大または縮小変換し、図４（Ｂ）に示すように、フレームバッファ(FB)１０３内の表示メモリ４０４に格納する。
【００５１】
一方で、全体画像領域４００を、全体レイアウトを確認するための前記ＬＣＤ表示領域４１０の表示サイズ（６４０×２４０）よりも十分小さいサイズに縮小し、図４（Ｃ）に示すように、フレームバッファ(FB)１０３内のレイアウトメモリ４０３に格納する。
【００５２】
この際、全体画像領域４００に対する現在の表示領域を示す表示ウインドウ４０２の位置を、レイアウトメモリ４０３内に表示エリア４０２ａとして描画する。
【００５３】
そして、フレームバッファ(FB)１０３内の表示メモリ４０４とレイアウトメモリ４０３の各画像データを、例えばスクロール表示や拡大・縮小表示に際し読み出してブレンディング部(A)２１０によりαブレンディングして重ね合わせ合成し、図４（Ｄ）に示すように、ＬＣＤ１１５に表示データとして転送しそのＬＣＤ表示領域４１０と共に全体レイアウト表示４０５として表示させる。
【００５４】
この際、レイアウトメモリ４０３からの画像データの読み出し合成を制御することで、全体レイアウト表示４０５の表示／消去を簡単に制御することが可能である。
【００５５】
次に、前記構成の携帯端末による画像表示処理について説明する。
【００５６】
図５は、前記携帯端末による画像表示処理を示すフローチャートである。
【００５７】
まず、プログラム格納メモリ(NOR)１１２に予め格納されている画像表示制御プログラムに従ったＣＰＵ１０１の制御により、ユーザ操作に応じて選択された表示すべきファイルとして、例えばＷｅｂブラウザプログラムに従いインターネットから取り込まれたＷｅｂサイトのＨＰ（ホームページ）のファイルや撮影画像表示プログラムに従いデジタルカメラにより撮影された画像のファイルが、ワークメモリ(SDRAM)１１１からメモリコントローラ(Mem.Cont.)１０４によって読み出されると（ステップＳ１）、このユーザ選択された表示すべきファイルはＬＣＤＣ１０２のメモリコントローラ(Memory Cont.)２０３によって、図４（Ａ）に示すように、フレームバッファ(FB)１０３内に全体画像領域４００として展開される（ステップＳ２）。
【００５８】
すると、この全体画像領域４００上の予め設定された位置に対して表示ウインドウ４０２がデフォルト設定され（ステップＳ３）、この表示ウインドウ４０２内の画像データが画像サイズ変換部(Resizer)２０４によりＬＣＤ表示領域４１０（図４（Ｄ）参照）の表示解像度に応じた表示サイズの画像データに拡大または縮小変換され、図４（Ｂ）に示すように、フレームバッファ(FB)１０３内の表示メモリ４０４に書き込まれる（ステップＳ４）。
【００５９】
これにより表示メモリ４０４に書き込まれた表示ウインドウ４０２内の画像データがＬＣＤ１１５に転送されそのＬＣＤ表示領域４１０に表示出力される（ステップＳ５）。
【００６０】
ここで、上下方向へのスクロール表示または拡大・縮小表示を行わせるために上下スクロールデバイス（スクロールバー）１２０の操作入力が検出判断されると（ステップＳ６）、図６における上下スクロール処理へ移行されて上下スクロール表示され（ステップＳＡ→Ｓ５）、また、任意の方向へのスクロール表示を行わせるために自由スクロールデバイス１２１の操作入力が検出されると（ステップＳ７）、図７における自由スクロール処理へ移行されて自由スクロール表示される（ステップＳＢ→Ｓ５）。
【００６１】
図６は、前記携帯端末による画像表示処理に伴う上下スクロール処理を示すフローチャートである。
【００６２】
前記上下スクロールデバイス（スクロールバー）１２０の例えばユーザの右手親指による操作入力が検出判断されることで、この上下スクロール処理が起動されると（ステップＡ１）、これと並行して自由スクロールデバイス１２１に対する同時操作入力があるか否か判断される（ステップＡ２）。
【００６３】
そして、自由スクロールデバイス１２１に対する例えばユーザの左手親指による同時操作入力があると判断された場合には（ステップＡ２（Ｙ））、全体画像領域４００に対する表示ウインドウ４０２の設定範囲が前記上下スクロールデバイス１２０の上方向へのスライドタッチ操作または下方向へのスライドタッチ操作に応じて拡大または縮小設定され（ステップＡ３）、この拡大または縮小された表示ウインドウ４０２内の画像データが画像サイズ変換部(Resizer)２０４によりＬＣＤ表示領域４１０の表示解像度に応じた表示サイズの画像データに拡大または縮小変換され、フレームバッファ(FB)１０３内の表示メモリ４０４に書き込まれる（ステップＡ５）。
【００６４】
一方、前記ステップＡ２において（Ｎ）、つまり上下スクロールデバイス１２０の操作入力に並行した自由スクロールデバイス１２１の同時操作入力が無いと判断された場合には、全体画像領域４００に対する表示ウインドウ４０２の設定位置が前記上下スクロールデバイス１２０の上方向へのスライドタッチ操作または下方向へのスライドタッチ操作に応じて上方向または下方向へスクロール設定され（ステップＡ４）、この上下スクロールされた表示ウインドウ４０２内の画像データが画像サイズ変換部(Resizer)２０４によりＬＣＤ表示領域４１０の表示解像度に応じた表示サイズの画像データに拡大または縮小変換され、フレームバッファ(FB)１０３内の表示メモリ４０４に書き込まれる（ステップＡ５）。
【００６５】
ここで、予めユーザ設定されたレイアウト表示モードとなっているか否か判断され（ステップＡ６）、レイアウト表示モードではないと判断された場合には、前記拡大・縮小設定あるいは上下スクロール設定されて表示メモリ４０４に書き込まれた表示ウインドウ４０２内の画像データがＬＣＤ１１５に転送されそのＬＣＤ表示領域４１０に表示出力される（ステップＡ６→Ａ１０，Ａ１１→Ｓ５）。
【００６６】
また、レイアウト表示モードであると判断された場合には、全体画像領域４００の画像データがＬＣＤ表示領域４１０の表示サイズより十分小さいサイズに縮小されフレームバッファ(FB)１０３内のレイアウトメモリ４０３に格納されると共に、全体画像領域４００に対する現在の表示ウインドウ４０２の位置が、前記レイアウトメモリ４０３内の縮小された全体画像上に表示エリア４０２ａとして描画され、全体レイアウトが作成される（ステップＡ７）。
【００６７】
そして、前記ステップＡ５において、フレームバッファ(FB)１０３内の表示メモリ４０４に格納された拡大・縮小設定あるいは上下スクロール設定された表示ウインドウ４０２に対応した画像データが一方のＦＩＦＯメモリ２０６からブレンディング部(A)２１０へ順次出力されるのに伴い、その予め設定された表示位置において、前記ステップＡ７においてレイアウトメモリ４０３に格納された全体レイアウトの画像データが他方のＦＩＦＯメモリ２０７からブレンディング部(A)２１０に出力されてαブレンディングされ、半透過状態で重ね合わせ合成される（ステップＡ８）。
【００６８】
すると、前記レイアウトメモリ４０３に格納された全体レイアウトの画像データを読み出してブレンディング部(A)２１０にてαブレンディング処理するレイアウト表示時間Ｔ１（例えば５sec）がタイマセットされる（ステップＡ９）。
【００６９】
そして、前記ブレンディング部(A)２１０を介して順次出力される拡大・縮小設定あるいは上下スクロール設定された表示ウインドウ４０２に対応した画像データ（４０４）と全体レイアウトの画像データ（４０３，４０２ａ）との合成画像データが、例えば図４（Ｄ）に示すように、ＬＣＤ１１５に表示データとして転送されそのＬＣＤ表示領域４１０に全体レイアウト表示４０５付の画像データとして表示される（ステップＡ１０）。
【００７０】
この際、前記ステップＡ９においてタイマセットされたレイアウト表示時間Ｔ１が経過すると、前記レイアウトメモリ４０３に格納された全体レイアウトの画像データの読み出しとそのαブレンディング処理が停止され、ＬＣＤ表示領域４１０に表示されている表示ウインドウ４０２に対応した画像データ上から全体レイアウト表示４０５が消去される（ステップＡ９０，Ａ９１，Ａ９２）。
【００７１】
これにより、ユーザが右手で上下スクロールデバイス１２０を、また左手で自由スクロールデバイス１２１を簡単操作して拡大・縮小処理あるいは上下スクロール処理された表示ウインドウ４０２の画像データをＬＣＤ表示領域４１０に表示できるだけでなく、全体レイアウト表示４０５を半透過状態で合成表示させることができ、全体画像（４００）をイメージしながら目的とするところの画像部分（表示ウインドウ４０２）をＬＣＤ表示領域４１０上で容易に確認しながら表示閲覧可能になる。
【００７２】
図７は、前記携帯端末による画像表示処理に伴う自由スクロール処理を示すフローチャートである。
【００７３】
前記上下スクロールバー１２０への操作入力が検出されない状態で（ステップＳ６（Ｎ））、自由スクロールデバイス１２１の例えばユーザの左手親指による操作入力が検出判断されることで、この自由スクロール処理が起動されると（ステップＢ１）、全体画像領域４００に対する表示ウインドウ４０２の設定位置が前記自由スクロールデバイス１２１の任意の方向へのタッチ操作に応じて上下左右自在な方向へスクロール設定され（ステップＢ２）、この自由スクロールされた表示ウインドウ４０２内の画像データが画像サイズ変換部(Resizer)２０４によりＬＣＤ表示領域４１０の表示解像度に応じた表示サイズの画像データに変換され、フレームバッファ(FB)１０３内の表示メモリ４０４に書き込まれる（ステップＢ３）。
【００７４】
ここで、予めユーザ設定されたレイアウト表示モードとなっているか否か判断され（ステップＢ６）、レイアウト表示モードではないと判断された場合には、前記自由スクロール設定されて表示メモリ４０４に書き込まれた表示ウインドウ４０２内の画像データがＬＣＤ１１５に転送されそのＬＣＤ表示領域４１０に表示出力される（ステップＢ６→Ｂ１０，Ｂ１１→Ｓ５）。
【００７５】
また、レイアウト表示モードであると判断された場合には、前記上下スクロール処理（図６参照）でのステップＡ７と同様にして、全体画像領域４００の画像データがＬＣＤ表示領域４１０の表示サイズより十分小さいサイズに縮小されフレームバッファ(FB)１０３内のレイアウトメモリ４０３に格納されると共に、全体画像領域４００に対する現在の表示ウインドウ４０２の位置が、前記レイアウトメモリ４０３内の縮小された全体画像上に表示エリア４０２ａとして描画され、全体レイアウトが作成される（ステップＢ７）。
【００７６】
そして、前記ステップＢ３において、フレームバッファ(FB)１０３内の表示メモリ４０４に格納された自由スクロール設定された表示ウインドウ４０２に対応した画像データが一方のＦＩＦＯメモリ２０６からブレンディング部(A)２１０へ順次出力されるのに伴い、その予め設定された表示位置において、前記ステップＢ７においてレイアウトメモリ４０３に格納された全体レイアウトの画像データが他方のＦＩＦＯメモリ２０７からブレンディング部(A)２１０に出力されてαブレンディングされ、半透過状態で重ね合わせ合成される（ステップＢ８）。
【００７７】
すると、前記レイアウトメモリ４０３に格納された全体レイアウトの画像データを読み出してブレンディング部(A)２１０にてαブレンディング処理するレイアウト表示時間Ｔ１（例えば５sec）がタイマセットされる（ステップＢ９）。
【００７８】
そして、前記ブレンディング部(A)２１０を介して順次出力される自由スクロール設定された表示ウインドウ４０２に対応した画像データ（４０４）と全体レイアウトの画像データ（４０３，４０２ａ）との合成画像データが、例えば図４（Ｄ）に示すように、ＬＣＤ１１５に表示データとして転送されそのＬＣＤ表示領域４１０に全体レイアウト表示４０５付の画像データとして表示される（ステップＢ１０）。
【００７９】
この際、前記ステップＢ９においてタイマセットされたレイアウト表示時間Ｔ１が経過すると、前記レイアウトメモリ４０３に格納された全体レイアウトの画像データの読み出しとそのαブレンディング処理が停止され、ＬＣＤ表示領域４１０に表示されている表示ウインドウ４０２に対応した画像データ上から全体レイアウト表示４０５が消去される（ステップＢ９０，Ｂ９１，Ｂ９２）。
【００８０】
これにより、ユーザが左手で自由スクロールデバイス１２１を簡単操作して任意方向に自由スクロール処理された表示ウインドウ４０２の画像データをＬＣＤ表示領域４１０に表示できるだけでなく、全体レイアウト表示４０５を半透過状態で合成表示させることができ、全体画像（４００）をイメージしながら目的とするところの画像部分（表示ウインドウ４０２）をＬＣＤ表示領域４１０上で容易に確認しながら表示閲覧可能になる。
【００８１】
したがって、前記構成の携帯端末による第１実施形態の画像表示機能によれば、全体画像領域４００における表示ウインドウ４０２に対応する画像データを、自由スクロールデバイス１２１や上下スクロールデバイス１２０でのユーザ接触操作に応じて拡大または縮小あるいはスクロール処理してＬＣＤ表示領域４１０へ表示させる際に、全体画像領域４００の画像データの縮小画像に現在の表示ウインドウ４０２の位置範囲を表示エリア４０２ａとして描画した全体レイアウト表示４０５を作成し、αブレンディング処理により半透過状態にして重ね合わせ合成表示させるので、表示対象である全体の画像（４００）をイメージしながら拡大・縮小やスクロール処理してＬＣＤ表示領域４１０に表示出力しているところの表示ウインドウ４０２の画像部分を、当該ＬＣＤ表示領域４１０上で容易に確認しながら表示閲覧することができる。
【００８２】
この場合、前記構成の携帯端末による第１実施形態の画像表示機能によれば、キーボード１１４の左端に設けた自由スクロールデバイス１２１を接触操作しながら、同キーボード１１４の右端に設けた上下スクロールデバイス１２０を上下方向へ接触移動操作することで、全体画像領域４００上での表示ウインドウ４０２による表示範囲が拡大・縮小処理され、自由スクロールデバイス１２１または上下スクロールデバイス１２０を単独操作することで、全体画像領域４００上での表示ウインドウ４０２による表示範囲が任意の方向または上下方向にスクロール処理されるので、非常に操作性良く拡大・縮小表示やスクロール表示を行わせることができる。
【００８３】
なお、前記携帯端末による第１実施形態の画像表示機能では、拡大・縮小処理やスクロール処理に伴いＬＣＤ表示領域４１０上に半透過合成表示させる全体レイアウト表示４０５を、レイアウト表示時間Ｔ１のタイマセットによって一定時間表示させて消去する構成としたが、例えば専用キー操作や各スクロールデバイス１２０，１２１のダブルタップ操作などに応じて当該全体レイアウト表示４０５の表示／消去を行わせる構成としてもよい。
【００８４】
図８は、前記携帯端末による全体画像領域４００とＬＣＤ表示領域４１０にて表示出力される表示ウインドウ４０２そして全体レイアウト表示４０５との関係（その２）を示す図であり、前記図４での（その１）に対して表示ウインドウ４０２による全体画像領域４００上での表示出力領域が小さい場合を示す図である。
【００８５】
（第２実施形態）
図９は、前記携帯端末による第２実施形態の画像表示機能に伴う全体画像領域４００とＬＣＤ表示領域４１０にて表示出力される表示ウインドウ４０２そして全体レイアウト表示４０５との関係を示す図である。
【００８６】
この第２実施形態の画像表示機能では、上下スクロールデバイス１２０あるいは自由スクロールデバイス１２１の操作入力に応じた全体画像領域４００上での表示ウインドウ４０２のスクロール処理に際し、当該表示ウインドウ４０２の位置範囲が全体画像領域４００の範囲外に到達する位置までスクロール移動された場合に、ＬＣＤ表示領域４１０上への全体レイアウト表示４０５の合成表示を行い、当該全体レイアウト表示４０５によりＬＣＤ表示領域４１０本来の画像表示が見難くなるのを最少限に止める構成とする。
【００８７】
この場合、図９（Ａ）に示すように、全体画像領域４００をその中心Ａから左上の領域９０１，右上の領域９０２，左下の領域９０３，右下の領域９０４に４区分し、前記表示ウインドウ４０２が全体画像領域４００の範囲外に到達した位置がその左上領域９０１である場合には全体レイアウト表示４０５をＬＣＤ表示領域４１０の右下領域にて行い、右上領域９０２である場合には左下領域にて行い、左下領域９０３である場合には右上領域にて行い、右下領域９０４である場合には左上領域にて行うようにすることで、ＬＣＤ表示領域４１０上のユーザ注目部分からなるべく離れたところに全体レイアウト表示４０５を行う構成とする。
【００８８】
図１０は、前記携帯端末による第２実施形態の画像表示機能に伴うウインドウ移動処理を示すフローチャートである。
【００８９】
この第２実施形態の画像表示機能に伴うウインドウ移動処理（ステップＣ１〜Ｃ１１）は、前記第１実施形態の画像表示処理（図５参照）に伴う上下スクロール処理（図６参照）でのステップＡ５〜Ａ１１、自由スクロール処理（図７参照）でのステップＢ３〜Ｂ１１のそれぞれに代えて起動実行される。
【００９０】
すなわち、図６における上下スクール処理にあっては、拡大・縮小処理された表示ウインドウ４０２あるいは上下スクロール処理された表示ウインドウ４０２が全体画像領域４００の範囲外に到達したと判断された場合（ステップＡ１〜Ａ４→Ｃ１，Ｃ２（Ｙ））、また、図７における自由スクロール処理にあっては、自由スクロール処理された表示ウインドウ４０２が全体画像領域４００の範囲外に到達したと判断された場合（ステップＢ１，Ｂ２→Ｃ１，Ｃ２（Ｙ））に、まず、全体画像領域４００の範囲外に到達した表示ウインドウ４０２が当該全体画像領域４００の上下左右４つに区分した領域９０１〜９０４の何れに存在するか記憶される（ステップＣ３）。
【００９１】
すると、前記拡大・縮小処理または上下スクロール処理あるいは自由スクロール処理された表示ウインドウ４０２内の画像データが画像サイズ変換部(Resizer)２０４によりＬＣＤ表示領域４１０の表示解像度に応じた表示サイズの画像データに拡大または縮小変換され、フレームバッファ(FB)１０３内の表示メモリ４０４に書き込まれる（ステップＣ５）。
【００９２】
そして、全体画像領域４００の画像データがＬＣＤ表示領域４１０の表示サイズより十分小さいサイズに縮小されフレームバッファ(FB)１０３内のレイアウトメモリ４０３に格納されると共に、全体画像領域４００に対する現在の表示ウインドウ４０２の位置が、前記レイアウトメモリ４０３内の縮小された全体画像上に表示エリア４０２ａとして描画され、全体レイアウトが作成される。この際、前記ステップＣ３にて記憶された全体画像領域４００上での表示ウインドウ９０２の存在領域に応じて、当該レイアウトメモリ４０３に格納された全体レイアウトをＬＣＤ表示領域４１０にて表示させるべき位置が、左上領域９０１である場合には正反対の右下領域、右上領域９０２である場合には正反対の左下領域、左下領域９０３である場合には正反対の右上領域、右下領域９０４である場合には正反対の左上領域として決定される（ステップＣ７ａ）。
【００９３】
そして、前記ステップＣ５において、フレームバッファ(FB)１０３内の表示メモリ４０４に格納された拡大・縮小設定あるいはスクロール設定された表示ウインドウ４０２に対応した画像データが一方のＦＩＦＯメモリ２０６からブレンディング部(A)２１０へ順次出力されるのに伴い、前記ステップＣ７ａにて決定された全体レイアウトの表示位置において、レイアウトメモリ４０３に格納された全体レイアウトの画像データが他方のＦＩＦＯメモリ２０７からブレンディング部(A)２１０に出力されてαブレンディングされ、半透過状態で重ね合わせ合成される（ステップＣ８）。
【００９４】
すると、前記レイアウトメモリ４０３に格納された全体レイアウトの画像データを読み出してブレンディング部(A)２１０にてαブレンディング処理するレイアウト表示時間Ｔ１（例えば５sec）がタイマセットされる（ステップＣ９）。
【００９５】
そして、前記ブレンディング部(A)２１０を介して順次出力される拡大・縮小設定あるいはスクロール設定された表示ウインドウ４０２に対応した画像データ（４０４）と全体レイアウトの画像データ（４０３，４０２ａ）との前記決定位置での合成画像データが、例えば図９（Ｄ）に示すように、ＬＣＤ１１５に表示データとして転送されそのＬＣＤ表示領域４１０に全体レイアウト表示４０５付の画像データとして表示される（ステップＣ１０）。
【００９６】
一方、図６における上下スクール処理にあって、拡大・縮小処理された表示ウインドウ４０２あるいは上下スクロール処理された表示ウインドウ４０２が全体画像領域４００の範囲外には到達してないと判断された場合（ステップＡ１〜Ａ４→Ｃ１，Ｃ２（Ｎ））、また、図７における自由スクロール処理にあって、自由スクロール処理された表示ウインドウ４０２が全体画像領域４００の範囲外には到達してないと判断された場合（ステップＢ１，Ｂ２→Ｃ１，Ｃ２（Ｎ））には、前記拡大・縮小処理または上下スクロール処理あるいは自由スクロール処理された表示ウインドウ４０２内の画像データが画像サイズ変換部(Resizer)２０４によりＬＣＤ表示領域４１０の表示解像度に応じた表示サイズの画像データに拡大または縮小変換され、フレームバッファ(FB)１０３内の表示メモリ４０４に書き込まれると共に、ＬＣＤ１１５に転送されそのＬＣＤ表示領域４１０に表示出力される（ステップＣ５ａ→Ｃ１０，Ｃ１１→Ｓ５）。
【００９７】
したがって、前記構成の携帯端末による第２実施形態の画像表示機能によれば、上下スクロールデバイス１２０あるいは自由スクロールデバイス１２１の操作入力に応じた全体画像領域４００上での表示ウインドウ４０２のスクロール処理に際し、当該表示ウインドウ４０２の位置範囲が全体画像領域４００の範囲外（画像端）に到達する位置までスクロール移動された場合に、ＬＣＤ表示領域４１０上への全体レイアウト表示４０５を行うので、表示対象である全体の画像（４００）をイメージして拡大・縮小やスクロール処理してＬＣＤ表示領域４１０に表示出力しているところの表示ウインドウ４０２の画像部分を、当該ＬＣＤ表示領域４１０上で容易に確認して表示閲覧できるだけでなく、表示ウインドウ４０２のスクロール位置が限界位置であることを容易に確認できるようになる。
【００９８】
この場合、全体画像領域４００をその中心Ａから左上の領域９０１，右上の領域９０２，左下の領域９０３，右下の領域９０４に４区分し、表示ウインドウ４０２が全体画像領域４００の範囲外（画像端）に到達した位置の領域に応じてその正反対の方向となるＬＣＤ表示領域４１０上に全体レイアウト表示４０５を行うので、ＬＣＤ表示領域４１０上のユーザ注目部分からなるべく離れたところに全体レイアウト表示４０５を行い、表示ウインドウ４０２のスクロール位置およびその限界位置を容易且つ見易い状態にして確認できるようになる。
【００９９】
なお、前記各実施形態において記載した手法、すなわち、図５のフローチャートに示す画像表示処理、図６のフローチャートに示す画像表示処理に伴う上下スクロール処理、図７のフローチャートに示す画像表示処理に伴う自由スクロール処理、図１０のフローチャートに示す前記画像表示処理での各スクロール処理に伴うウインドウ移動処理などの各手法は、コンピュータに実行させることができるプログラムとして、図示しないメモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体に格納して配布することができる。そして、携帯端末のコンピュータ（ＬＳＩ１００／ＣＰＵ１０１）は、この外部記憶媒体に記憶されたプログラムを読み込み、この読み込んだプログラムによって動作が制御されることにより、前記各実施形態において説明したＬＣＤ表示領域４０５に対する全体レイアウト表示４０５の合成出力機能を実現し、前述した手法による同様の処理を実行することができる。
【０１００】
また、前記各手法を実現するためのプログラムのデータは、プログラムコードの形態としてインターネットなどのネットワーク（公衆回線）上を伝送させることができ、このネットワークに接続された携帯端末によって前記のプログラムデータを取り込み、前述したＬＣＤ表示領域４０５に対する全体レイアウト表示４０５の合成出力機能を実現することもできる。
【０１０１】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１０２】
【図１】本発明の情報表示制御装置の実施形態に係る携帯端末のシステム構成を示すブロック図。
【図２】前記携帯端末におけるＬＣＤＣ１０２の内部構成を示すブロック図。
【図３】前記端末装置の本体ケースを開いた状態での外観構成を示す正面図。
【図４】前記携帯端末による全体画像領域４００とＬＣＤ表示領域４１０にて表示出力される表示ウインドウ４０２そして全体レイアウト表示４０５との関係（その１）を示す図。
【図５】前記携帯端末による画像表示処理を示すフローチャート。
【図６】前記携帯端末による画像表示処理に伴う上下スクロール処理を示すフローチャート。
【図７】前記携帯端末による画像表示処理に伴う自由スクロール処理を示すフローチャート。
【図８】前記携帯端末による全体画像領域４００とＬＣＤ表示領域４１０にて表示出力される表示ウインドウ４０２そして全体レイアウト表示４０５との関係（その２）を示す図であり、前記図４での（その１）に対して表示ウインドウ４０２による全体画像領域４００上での表示出力領域が小さい場合を示す図。
【図９】前記携帯端末による第２実施形態の画像表示機能に伴う全体画像領域４００とＬＣＤ表示領域４１０にて表示出力される表示ウインドウ４０２そして全体レイアウト表示４０５との関係を示す図。
【図１０】前記携帯端末による第２実施形態の画像表示機能に伴うウインドウ移動処理を示すフローチャート。
【符号の説明】
【０１０３】
１００  …ＬＳＩ(Large Scale Integrated Circuit)
１００ａ…内部バス(Bus)
１０１  …ＣＰＵ(Central Processing Unit)
１０２  …ＬＣＤＣ(LCDコントローラ)
１０３  …フレームバッファ(FB)
１０４  …メモリコントローラ(Mem.Cont.)
１０６  …リアルタイムクロック(RTC)
１０７  …ＵＡＲＴ(Universal Asynchronous Receiver Transmitter)
１０８  …パワーマネジメントブロック(Power Mgmt)
１０９  …キーボードコントローラ(KEY Cont.)
１１１  …ワークメモリ(Synchronous DRAM)
１１２  …プログラム格納メモリ(NOR型フラッシュメモリ)
１１４  …キーボード(KEYBOARD)
１１５  ＬＣＤ(Liquid Crystal Display)
１２０  …上下スクロールデバイス
１２１  …自由スクロールデバイス
１２２  …ポインティングデバイス
１２２ａ，１２２ｂ…キー（左右クリックボタン）
１３０ａ〜１３０ｄ…４方向カーソルキー
２０１  …バスＩ／Ｆ
２０２  …レジスタ(Reg.)
２０３  …メモリコントローラ(Memory Cont.)
２０３ａ…ダイレクトメモリアクセスコントローラ(DMA)
２０４  …画像サイズ変換部(Resizer)
２０６，２０７，２１１…ＦＩＦＯ(First In First Out)メモリ
２１０  …ブレンディング部(A)
２１２  …ＬＣＤ Ｉ／Ｆ
３００  …表示部
４００  …全体画像領域
４０２  …表示ウインドウ
４０２ａ…表示エリア
４０３  …レイアウトメモリ
４０４  …表示メモリ
４０５  …全体レイアウト表示
４１０  …ＬＣＤ表示領域
９０１  …全体画像左上領域
９０２  …全体画像右上領域
９０３  …全体画像左下領域
９０４  …全体画像右下領域
【図１】
2007122633.tif 000003
【図２】
2007122633.tif 000004
【図３】
2007122633.tif 000005
【図４】
2007122633.tif 000006
【図５】
2007122633.tif 000007
【図６】
2007122633.tif 000008
【図７】
2007122633.tif 000009
【図８】
2007122633.tif 000010
【図９】
2007122633.tif 000011
【図１０】
2007122633.tif 000012